(57)【要約】【課題】互いに非相溶性を有する第一、第二液体を含有する封入液を所定の比率で液室内に封入させることを目的とする。【解決手段】外筒１１と内筒１２とが弾性体１３を介して弾性的に連結され、外筒１１内の液室１７が仕切り部材１６によって主液室１４と副液室１５とに区画され、液室１７に、互いに非相溶性を有する第一、第二液体Ｌ１，Ｌ２を含有する封入液が封入された液体封入型の防振装置の製造方法であって、外筒１１、内筒１１，１２及び弾性体１３を一体化させて本体ゴム３０を作成する本体ゴム作成工程と、第一液体Ｌ１中において、仕切り部材１６を本体ゴム３０に組み付けた後、仕切り部材１６との間にノズル４０を介在させてダイヤフラム１９を本体ゴム３０に組み付け、液室１７に第一液体Ｌ１を封入する液中組立工程と、ノズル４０から液室１７に第二液体Ｌ２を注入する液体注入工程と、を備えている。【選択図】図４
2010106921.tif 000002
【特許請求の範囲】
【請求項１】
振動発生部および振動受部のうちのいずれか一方に連結される外筒、および他方に連結される内筒と、
前記外筒と前記内筒とを弾性的に連結する弾性体と、
前記外筒内の液室を、前記弾性体を壁面の一部とする一方側の主液室とダイヤフラムを壁面の一部とする他方側の副液室とに区画する仕切り部材と、を備えるとともに、
前記主液室と前記副液室とを連通する制限通路が形成され、
前記液室に、互いに非相溶性を有する第一液体及び第二液体を少なくとも含有する封入液が封入された液体封入型の防振装置の製造方法であって、
前記外筒、前記内筒及び前記弾性体を一体化させて本体ゴムを作成する本体ゴム作成工程と、
前記第一液体中において、前記仕切り部材を前記本体ゴムに組み付けた後、前記仕切り部材との間にノズルを介在させて前記ダイヤフラムを前記本体ゴムに組み付け、前記液室に前記第一液体を封入する液中組立工程と、
前記ノズルから前記液室に前記第二液体を注入する液体注入工程と、
を備えていることを特徴とする防振装置の製造方法。
【請求項２】
請求項１に記載の防振装置の製造方法において、
前記ダイヤフラムには、前記仕切り部材に対して密接する弾性変形可能なシール部が備えられており、
前記液中組立工程の際に、前記シール部と前記仕切り部材との間に前記ノズルを介在させ、該ノズルによって前記シール部を圧縮変形させ、
前記液体注入工程の後、前記ノズルを引き抜くノズル引抜工程を行うことを特徴とする防振装置の製造方法。
【請求項３】
請求項１または２に記載の防振装置の製造方法において、
前記封入液は、前記第一液体を６０重量％以上９９．９重量％以下含有し、第二液体を０．１重量％以上４０重量％以下含有していることを特徴とする防振装置の製造方法。
【請求項４】
請求項１から３のいずれかに記載の防振装置の製造方法において、
前記第一液体はエチレングリコール単体若しくはエチレングリコールとプロピレングリコールとを含有し、前記第二液体はシリコーンオイル若しくはフッ素オイルを含有することを特徴とする防振装置の製造方法。
【発明の詳細な説明】
【技術分野】
【０００１】
本発明は、例えば自動車や産業機械等に適用され、エンジン等の振動発生部の振動を吸収および減衰する防振装置の製造方法に関する。
【背景技術】
【０００２】
上記した防振装置として、従来、例えば下記特許文献１に示されているように、振動発生部および振動受部のいずれか一方に連結される外筒と、振動発生部および振動受部のいずれか他方に連結される内筒と、外筒及び内筒を弾性的に連結するとともに外筒の軸方向一方側の開口部を閉塞する弾性体と、外筒の軸方向他方側の開口部を閉塞するダイヤフラムと、外筒の内部に形成された液室を、弾性体を隔壁の一部とする主液室とダイヤフラムを隔壁の一部とする副液室とに区画する仕切り部材と、を備える構成が知られている。上記した液室には、比重が異なる非相溶性の二種以上の液体で構成された封入液が封入されている。また、上記した仕切り部材には、主液室と副液室とを連通する制限通路が形成されており、この制限通路を通って上記した封入液が主液室と副液室との間で往来可能となっている。
【０００３】
ところで、従来の防振装置の製造方法として、防振装置を液中で組み立てる方法がある。この方法は、まず、外筒、内筒及び弾性体を一体化させて本体ゴムを作成する工程を行う。次に、本体ゴムを、封入液を貯留したプールの中に入れ、このプール内（封入液中）で本体ゴムに仕切り部材及びダイヤフラムをそれぞれ組み付ける工程を行う。これにより、液室内に空気が混入することなく封入液を封入させることができる。
【特許文献１】特許第２８６０７０１号公報
【発明の開示】
【発明が解決しようとする課題】
【０００４】
しかしながら、封入液が非相溶性の二種以上の液体で構成されている場合、上記した従来の防振装置の製造方法では、封入液に含有された複数の液体がプール内で分離されてしまうため、所定の比率の封入液を液室内に封入させることが難しいという問題がある。このため、上記した従来の製造方法で製造された防振装置は、液室に封入された封入液の比率にばらつきが生じ易く、その結果、防振装置の性能が安定しないという問題が存在する。
【０００５】
本発明は、上記した従来の問題が考慮されたものであり、互いに非相溶性を有する第一液体及び第二液体を含有する封入液を所定の比率で液室内に封入させることができ、防振装置の性能安定性を向上させることができる防振装置の製造方法を提供することを目的としている。
【課題を解決するための手段】
【０００６】
本発明に係る防振装置の製造方法は、振動発生部および振動受部のうちのいずれか一方に連結される外筒、および他方に連結される内筒と、前記外筒と前記内筒とを弾性的に連結する弾性体と、前記外筒内の液室を、前記弾性体を壁面の一部とする一方側の主液室とダイヤフラムを壁面の一部とする他方側の副液室とに区画する仕切り部材と、を備えるとともに、前記主液室と前記副液室とを連通する制限通路が形成され、前記液室に、互いに非相溶性を有する第一液体及び第二液体を少なくとも含有する封入液が封入された液体封入型の防振装置の製造方法であって、前記外筒、前記内筒及び前記弾性体を一体化させて本体ゴムを作成する本体ゴム作成工程と、前記第一液体中において、前記仕切り部材を前記本体ゴムに組み付けた後、前記仕切り部材との間にノズルを介在させて前記ダイヤフラムを前記本体ゴムに組み付け、前記液室に前記第一液体を封入する液中組立工程と、前記ノズルから前記液室に前記第二液体を注入する液体注入工程と、を備えていることを特徴としている。
【０００７】
このような特徴により、液体注入工程の際に第二液体の注入量を調整することにより、液室に封入される封入液において所望される所定量の第二液体が液室内の第一液体に混合される。
【０００８】
また、本発明に係る防振装置の製造方法は、前記ダイヤフラムには、前記仕切り部材に対して密接する弾性変形可能なシール部が備えられており、前記液中組立工程の際に、前記シール部と前記仕切り部材との間に前記ノズルを介在させ、該ノズルによって前記シール部を圧縮変形させ、前記液体注入工程の後、前記ノズルを引き抜くノズル引抜工程を行うことが好ましい。
【０００９】
これにより、ノズルが引き抜かれることで、ノズルによって圧縮変形されていたシール部の一部が弾性によって仕切り部材に密接され、ノズルを通していた孔が閉塞される。したがって、液体注入工程の後に、ノズルを通した孔をビス等で閉塞することなく、液室が容易に密封される。
【００１０】
また、本発明に係る防振装置の製造方法は、前記封入液が、前記第一液体を６０重量％以上９９．９重量％以下含有し、第二液体を０．１重量％以上４０重量％以下含有していることが好ましい。
また、本発明に係る防振装置の製造方法は、前記第一液体はエチレングリコール単体若しくはエチレングリコールとプロピレングリコールとを含有し、前記第二液体はシリコーンオイル若しくはフッ素オイルを含有することが好ましい。
これにより、防振装置の減衰効果が低減されることがない。
【発明の効果】
【００１１】
本発明に係る防振装置の製造方法によれば、互いに非相溶性を有する第一液体及び第二液体を含有する封入液を所定の比率で液室内に封入させることができ、これにより、液室に封入された封入液における第二液体の含有比率のばらつきを抑えることができ、防振装置の性能安定性を向上させることができる。
【発明を実施するための最良の形態】
【００１２】
以下、本発明に係る防振装置の製造方法の実施の形態について、図面に基いて説明する。
【００１３】
まず、本実施の形態における防振装置１の構成について、図１、図２に基いて説明する。
本実施の形態における防振装置１０は、振動発生部および振動受部のいずれか一方に連結される外筒１１と、振動発生部および振動受部のいずれか他方に連結される内筒１２と、これらの外筒１１と内筒１２とを弾性的に連結する弾性体１３と、外筒１１の内部に形成された液室１７を後述する主液室１４と副液室１５とに区画する仕切り部材１６と、を備えている。
【００１４】
なお、これらの各部材はそれぞれ、上面視円形状若しくは円環状に形成されるとともに、中心軸線Ｏを共通軸にして同軸上に配置されている。
そして、この防振装置１０が例えば自動車に装着された場合、内筒１２が振動発生部としてのエンジンに連結される一方、外筒１１が図示されないブラケット等を介して振動受部としての車体に連結されることにより、エンジンの振動を車体に伝達するのを抑えられるようになっている。
【００１５】
内筒１２は柱状に形成されるとともに、外筒１１における前記中心軸線Ｏ方向の一端開口部に配置されている。この内筒１２の一端面には雌ねじ部が形成されている。また、内筒１２の軸方向一端部は、外筒１１における前記中心軸線Ｏ方向の一端開口面よりも前記中心軸線Ｏ方向の外方に突出している。弾性体１３は、加硫ゴムからなる弾性体であり、外筒１１の一端開口部と内筒１２の外周面とに接着されて、外筒１１を前記中心軸線Ｏ方向の一端側から閉塞している。なお、弾性体１３としては、ゴム以外にも合成樹脂等からなる弾性体を用いることも可能である。外筒１１の軸方向他端部には、後述するノズル４０を挿通させるための開口１１ａが形成されている。この開口１１ａは、外筒１１の軸方向他端から一端側に向けて切り欠いた側面視矩形の切欠き部である。
【００１６】
さらに、外筒１１における前記中心軸線Ｏ方向の他端開口部にはダイヤフラム１９が配設されている。このダイヤフラム１９は上面視円形状に形成されるとともに、前記中心軸線Ｏ方向の他端側に向けて開口した逆椀状体となっている。詳しく説明すると、ダイヤフラム１９は、円環状のダイヤフラムリング２０と、このダイヤフラムリング２０の内側に張設された膜状のダイヤフラムゴム２１と、を備えている。ダイヤフラムリング２０には、中心軸線Ｏを共通軸にして外筒１１と同軸上に配設された円筒状の筒部２０ａと、筒部２０ａの軸方向一端部から全周にわたって径方向外側に突出したフランジ部２０ｂと、が備えられている。ダイヤフラムゴム２１の外周縁部は、全周にわたってダイヤフラムリング２０の内周面に加硫接着されており、このダイヤフラムゴム２１の外周縁部には、ダイヤフラムリング２０のフランジ部２０ｂの上面から立設された弾シール部２１ａが形成されている。このシール部２１ａは、仕切り部材１６に対して密接する弾性変形可能な壁部であり、ダイヤフラムゴム２１の外周縁部の全周にわたって形成されている。また、ダイヤフラム１９は、上記した外筒１１の軸方向他端部が全周にわたって径方向内側に屈曲されてフランジ部２０ｂに掛止されることで、外筒１１の軸方向他端部にカシメ固定されている。つまり、ダイヤフラム１９は外筒１１を前記中心軸線Ｏ方向の他端側から閉塞している。
【００１７】
以上の構成において、外筒１１の内部のうち、ダイヤフラム１９と弾性体１３との間に位置する部分が、これらのダイヤフラム１９および弾性体１３によって液密に閉塞され、後述する封入液Ｌが充填された液室１７となっている。そして、この液室１７は、仕切り部材１６によって、弾性体１３を隔壁の一部に有しこの弾性体１３の変形により内容積が変化する主液室１４と、ダイヤフラム１９を隔壁の一部に有しこのダイヤフラム１９の変形により内容積が変化する副液室１５と、に区画されている。
【００１８】
ここで、仕切り部材１６の外周面側と外筒１１の内周面側との間には、外筒１１の周方向に沿って延びる制限通路２４（オリフィス通路）が形成されている。図示の例では、仕切り部材１６は、円環状の仕切り部材本体２２と、円環状の仕切り部材本体２２の内側に張設されたメンブラン２３と、を備えている。
【００１９】
仕切り部材本体２２は、樹脂製の部材であり、その内周面には、径方向内側に突出したフランジ部２２ｃが全周にわたって形成されているとともに、その外周面には、前記制限通路２４となる周溝が形成されている。制限通路２４は、外筒１１の内周面に被覆されたゴム膜１８によって、仕切り部材１６の径方向の外側から閉塞されている。なお、ゴム膜１８は弾性体１３と一体に形成され、外筒１１の内周面は弾性体１３およびゴム膜１８により全域にわたって覆われている。また、仕切り部材本体２２の軸方向他端側の端面には、上記したシール部２１ａが嵌合される嵌合溝２２ａが、仕切り部材本体２２の周方向に沿って全周にわたって形成されている。また、仕切り部材本体２２の軸方向他端部には、後述するノズル４０を挿通させるための開口２２ｂが形成されている。この開口１１ａは、仕切り部材本体２２の軸方向他端から一端側に向けて切り欠いた側面視矩形の切欠き部であり、上記した外筒１１の開口１１ａと対向する位置に形成されている。すなわち、外筒１１の開口１１ａと仕切り部材本体２２の開口２２ｂとは周方向位置が一致しており、双方の開口１１ａ，２２ｂは連通されている。なお、仕切り部材本体２２の開口２２ｂは、上記したシール部２１ａによって仕切り部材本体２２の内方側（径方向内側）から閉塞されている。
【００２０】
メンブラン２３は、円板状のゴム製の部材であり、その外縁部が全周にわたって仕切り部材本体２２のフランジ部２２ｃに加硫接着されており、このメンブラン２３によって円環状の仕切り部材本体２２の内側が閉塞している。
【００２１】
なお、本実施形態では、この防振装置１０は、主液室１４が鉛直方向上側に位置しかつ副液室１５が鉛直方向下側に位置するように取り付けられて用いられる圧縮式となっている。
そして、本実施形態では、前記封入液Ｌは、非相溶性を有する、つまり互いに不溶な第一液体Ｌ１および第二液体Ｌ２を含有している。第二液体Ｌ２は、第一液体Ｌ２よりも凍結点が高く、且つ封入液Ｌ中に含まれる重量比率が小さくなっている。また、第二液体Ｌ２は、少なくとも−３０℃以上１００℃以下の温度範囲で、第一液体Ｌ１よりも蒸気圧が高く、且つ蒸発潜熱が小さくなっている。例えば、第二液体Ｌ２の蒸気圧は第一液体Ｌ１の蒸気圧の２倍以上とされ、また第一液体Ｌ１の１ｋｇ当たりの蒸発潜熱は、第二液体Ｌ２の１ｋｇ当たりの蒸発潜熱の２倍以上となっている。なお、第二液体Ｌ２は、第一液体Ｌ１よりも粘度が低くなっている。
【００２２】
以上のような第一液体Ｌ１としては、例えばエチレングリコールとプロピレングリコールとを含有するもの若しくはエチレングリコール単体等が挙げられ、また第二液体Ｌ２としては、例えばシリコーンオイル若しくはフッ素オイル等が挙げられる。また、前記封入液Ｌは、第一液体Ｌ１を６０重量％以上９９．９重量％以下含有し、第二液体Ｌ２を０．１重量％以上４０重量％以下含有している。好ましくは、前記封入液Ｌは、第一液体Ｌ１を８０重量％以上９９重量％以下含有し、第二液体Ｌ２を１重量％以上２０重量％以下含有している。例えば、封入液Ｌ中に、第一液体Ｌ１が８０ｃｃ〜２００ｃｃ含まれ、第二液体Ｌ２は０．５ｃｃ〜５ｃｃ含まれている。
なお、前記封入液Ｌは、少なくともこの防振装置１０に路面の凹凸等により大きな振動（荷重）が入力されたときに、第一液体Ｌ１中において第二液体Ｌ２が多数箇所に分散された態様になる。
【００２３】
次に、上記した構成からなる防振装置１０の製造方法の実施の形態について説明する。
【００２４】
まず、外筒１１、内筒１２及び弾性体１３を一体化させて本体ゴム３０を作成する本体ゴム作成工程を行う。
具体的に説明すると、まず、弾性体１３及びゴム膜１８を形成するための図示せぬ金型（本体ゴム金型）の中に外筒１１及び内筒１２をそれぞれ所定位置に配置するとともに、外筒１１の内周面及び内筒１２の外周面にそれぞれ接着下地処理を施した後に接着剤を塗布する。その後、上記した本体ゴム金型の中に未加硫ゴムを射出して弾性体１３を成形するとともに、この弾性体１３と一体にゴム膜１８を成形する。続いて、これらの弾性体１３等に硫黄ガス、圧力及び熱をそれぞれ加えて弾性体１３等を加硫する。この際、弾性体１３が、外筒１１の内周面及び内筒１２の外周面にそれぞれ接着され、ゴム膜１８が外筒１１の内周面に接着される。そして、上記した本体ゴム金型の脱型を行うことにより、本体ゴム３０が形成される。
【００２５】
また、円環状の仕切り部材本体２２の内側にメンブラン２３を形成して仕切り部材１６を作成する仕切り部材作成工程を行う。
具体的に説明すると、メンブラン２３を形成するための図示せぬ金型（メンブラン金型）の中に仕切り部材本体２２を所定位置に配置するとともに、仕切り部材本体２２のフランジ部２２ｃに接着下地処理を施した後に接着剤を塗布する。その後、上記したメンブラン金型の中に未加硫ゴムを射出してメンブラン２３を成形した後、そのメンブラン２３に硫黄ガス、圧力及び熱をそれぞれ加えてメンブラン２３を加硫する。この際、メンブラン２３の外周縁部が仕切り部材本体２２のフランジ部２２ｃに接着される。そして、上記したメンブラン金型の脱型を行うことにより、仕切り部材本体２２の内側にメンブラン２３が張設された仕切り部材１６が形成される。
【００２６】
また、ダイヤフラムリング２０の内側にダイヤフラムゴム２１を形成してダイヤフラム１９を作成するダイヤフラム作成工程を行う。
具体的に説明すると、ダイヤフラムゴム２１を形成するための図示せぬ金型（ダイヤフラム金型）の中にダイヤフラムリング２０を所定位置に配置するとともに、ダイヤフラムリング２０の内周面に接着下地処理を施した後に接着剤を塗布する。その後、上記したダイヤフラム金型の中に未加硫ゴムを射出してダイヤフラムゴム２１を成形した後、そのダイヤフラムゴム２１に硫黄ガス、圧力及び熱をそれぞれ加えてダイヤフラムゴム２１を加硫する。この際、ダイヤフラムゴム２１の外周縁部がダイヤフラムリング２０の内周面に接着される。そして、上記したダイヤフラム金型の脱型を行うことにより、ダイヤフラムリング２０の内側にダイヤフラムゴム２１が張設されたダイヤフラム１９が形成される。
【００２７】
次に、第一液体Ｌ１中において、上記した仕切り部材１６及びダイヤフラム１９を本体ゴム３０にそれぞれ組み付け、液室１７に第一液体Ｌ１を封入する液中組立工程を行う。
具体的に説明すると、図３に示すように、第一液体Ｌ１が貯留されたプールＰの中に本体ゴム３０を沈める。このとき、本体ゴム３０は、内筒１２側（外筒１１の一端開口部側）を下向きにして配置する。また、外筒１１内に空気が残留しないように本体ゴム３０をプールＰ内で適宜揺動させる。
【００２８】
続いて、プールＰ内に仕切り部材１６を投入し、第一液体Ｌ１中において、外筒１１の内側に仕切り部材１６を嵌合させて本体ゴム３０に仕切り部材１６を組み付ける。このとき、仕切り部材１６は、仕切り部材本体２２の開口２２ｂと外筒１１の開口１１ａとが重なり合うように周方向に位置合わせを行う。また、仕切り部材１６は、制限通路２４内やメンブラン２３の下側などに空気が残留しないようにプールＰ内で適宜揺動させた後、外筒１１の内側に挿入して本体ゴム３０に組み付ける。
【００２９】
続いて、プールＰ内にダイヤフラム１９を投入し、第一液体Ｌ１中において、ダイヤフラム１９と仕切り部材１６との間に管状のノズル４０を介在させた状態で、外筒１１の他端開口部の内側にダイヤフラム１９を嵌合させて本体ゴム３０にダイヤフラム１９を組み付ける。詳しく説明すると、まず、ノズル４０の先端が副液室１５内に配置されるように、外筒１１及び仕切り部材本体２２の各開口１１ａ，２２ｂにノズル４０を嵌め込み、ノズル４０を外筒１１の径方向に沿って配置する。続いて、外筒１１の軸方向他端側からダイヤフラム１９を嵌め込み、ダイヤフラムゴム２１のシール部２１ａを仕切り部材本体２２の嵌合溝２２ａの内側に嵌合させる。このとき、上記したシール部２１ａのうち、ノズル４０に接触する部分は、ノズル４０によって弾性的に圧縮変形して圧潰されて凹状の圧潰部が形成される。また、ダイヤフラム１９は、ダイヤフラムゴム２１の下側などに空気が残留しないようにプールＰ内で適宜揺動させた後、外筒１１の内側に挿入して本体ゴム３０に組み付ける。その後、第一液体Ｌ１中において、外筒１１の軸方向他端側の端部を全周に亘って径方向内側に屈曲させて外筒１１とダイヤフラムリング２０とをカシメ固定する。
【００３０】
次に、図４に示すように、ノズル４０から液室１７に第二液体Ｌ２を注入する液体注入工程を行う。
具体的に説明すると、外筒１１の外部に配置されたノズル４０の基端部に図示せぬ注入機を連結し、この注入機によって第二液体Ｌ２を供給してノズル４０から副液室１５に第二液体Ｌ２を注入する。このとき、注入機による第二液体Ｌ２の注入量を調整し、液室１７に封入する封入液Ｌに含有させる所望量（液室１７に封入する封入液Ｌの総重量に対して１重量％以上４０重量％以下、好ましくは１重量％以上２０重量％以下）の第二液体Ｌ２を副液室１５に注入する。
【００３１】
次に、ノズル４０を引き抜くノズル引抜工程を行う。
具体的に説明すると、ノズル４０をその軸方向に沿って外筒１１の径方向外側に向けて引き抜く。これにより、ノズル４０によって圧縮変形していたシール部２１ａの凹状の圧潰部が、ゴム弾性によって元の形状に戻って仕切り部材本体２２の嵌合溝２２ａの内側に嵌合されて液密に密接し、ノズル４０を通していた凹状の変形部分が閉塞される。
次に、組み立てられた防振装置１０をプール５０内から取り出し、防振装置１０の表面を洗浄して防振装置１０の表面に付着した第一液体Ｌ１を洗い流す。
以上により、第一液体Ｌ１と第二液体Ｌ２とを含有する封入液Ｌが液室１７内に封入された防振装置１０が完成する。
【００３２】
上記した防振装置１０の製造方法によれば、液体注入工程の際に第二液体Ｌ２の注入量を調整することにより、液室１７内の第一液体Ｌ１に所定量の第二液体Ｌ２が混合されるので、互いに非相溶性を有する第一液体Ｌ１及び第二液体Ｌ２を含有する封入液Ｌを所定の比率で液室１７内に封入させることができる。これにより、液室１７内の封入液Ｌにおける第二液体Ｌ２の含有比率のばらつきを抑えることができ、防振装置１０の性能安定性を向上させることができる。
【００３３】
また、液体注入工程の後にノズル４０を引き抜くことで、ノズル４０によって圧縮変形されていたシール部２１ａの凹状の圧潰部がそのゴム弾性によって仕切り部材１６に密接され、ノズル４０を通していた凹状の圧潰部が閉塞されるので、液体注入工程の後に、ノズル４０を通した外筒１１や仕切り部材本体２２の開口１１ａ，２２ｂをビス等で閉塞することなく、液室１７が容易に密封される。これにより、ビス等の閉塞部材を取り付ける作業を省略することが可能であり、部品数及び製造工程の工数を削減することができ、コストダウンを図ることができる。
【００３４】
また、上記した封入液Ｌは、第一液体Ｌ１を６０重量％以上９９．９重量％以下含有し、第二液体Ｌ２を０．１重量％以上４０重量％以下含有しており、前記第一液体Ｌ１はエチレングリコール単体若しくはエチレングリコールとプロピレングリコールとを含有し、前記第二液体Ｌ２はシリコーンオイル若しくはフッ素オイルを含有しているため、防振装置１０の減衰効果が低減されることがない。このため、防振装置１０の減衰機能を維持したまま、防振装置１０の性能安定性を向上させることができる。
【００３５】
また、水溶性のエチレングリコール等の第一液体Ｌ１中で液中組立工程を行うので、防振装置１０の表面に油系の第二液体Ｌ２（シリコーンオイルやフッ素オイル）が付着せず、防振装置１０の表面を洗浄する際、水で容易に洗い流すことが可能である。
【００３６】
以上、本発明に係る防振装置の製造方法の実施の形態について説明したが、本発明は上記した実施の形態に限定されるものではなく、その趣旨を逸脱しない範囲で適宜変更可能である。
例えば、第一液体Ｌ１および第二液体Ｌ２は、前述したものに限らず、非相溶性を有する液体であれば適宜変更可能である。例えば、第二液体Ｌ２が、第一液体Ｌ２と比較して凍結点や蒸気圧、蒸発潜熱が同等若しくは低くなっていてもよく、また、第一液体Ｌ２と比較して粘度が同等若しくは高くなっていてもよい。また、上記した実施の形態では、封入液Ｌ中に含まれる第二液体Ｌ２の重量比率が第一液体Ｌ１の重量比率よりも小さくなっているが、第二液体Ｌ２の重量比率を第一液体Ｌ１の重量比率と同等若しくは大きくすることも可能である。
【００３７】
また、上記した実施の形態では、外筒１１の軸方向他端側の端部とダイヤフラムリング２０とをカシメ固定した後、ノズル４０から液室１７に第二液体Ｌ２を注入してノズル４０を引き抜いているが、本発明は、外筒１１の軸方向他端側の開口端部の内側にダイヤフラム１９を嵌合させた後、そのダイヤフラム１９を機械的に押さえた状態で、ノズル４０から液室１７に第二液体Ｌ２を注入してノズル４０を引き抜き、その後、外筒１１の軸方向他端側の端部とダイヤフラムリング２０とをカシメ固定してもよい。
【００３８】
また、上記した実施の形態では、液中組立工程の際に、シール部２１ａと仕切り部材１６との間にノズル４０を介在させてこのノズル４０によってシール部２１ａの一部を圧縮変形させており、液体注入工程の後にノズル４０を引き抜くことで、ノズル４０によって圧縮変形されていたシール部２１ａの凹状の圧潰部がそのゴム弾性によって仕切り部材１６に密接され、ノズル４０を通していた凹状の圧潰部が閉塞される構成になっているが、本発明は、これに限定されるものではない。例えば、ノズル４０を引き抜いた後に外筒１１や仕切り部材本体２２の開口１１ａ，２２ｂをビス等の閉塞部材で閉塞することも可能である。
【００３９】
また、防振装置１０として圧縮式を示したが、主液室１４が鉛直方向下側に位置しかつ副液室１５が鉛直方向上側に位置するように取り付けられて用いられる吊り下げ式の防振装置にも適用可能である。
さらに、封入液Ｌに含有される液体は、二種類の液体（第一液体Ｌ１、第二液体Ｌ２）に限らず、三種類以上の液体を含有する封入液Ｌであってもよい。
【００４０】
また、本発明に係る防振装置の製造方法は、車両のエンジンマウントを製造する場合に限定されるものではなく、エンジンマウント以外に防振装置に適用することも可能である。例えば、建設機械に搭載された発電機のマウントを製造する場合にも適用することも可能であり、或いは、工場等に設置される機械のマウントを製造する場合にも適用することも可能である。
【００４１】
また、上記した実施の形態では、外筒１１の他端開口部にダイヤフラム１９（ダイヤフラムリング２０）がカシメ固定されているが、本発明は、ダイヤフラム１９が外筒１１にカシメ固定された構成に限定されず、例えば、ダイヤフラム１９が外筒１１に止め具等によって固定されていてもよい。
また、上記した実施の形態では、仕切り部材１６に制限通路２４が形成されているが、本発明は、仕切り部材１６以外に制限通路２４が形成されていてもよい。例えば、外筒１１の一部に溝加工して制限通路を形成してもよく、或いは、ダイヤフラムリング２０等のカシメ部分の一部に溝加工して制限通路を形成してもよい。
【００４２】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４３】
【図１】本発明の実施の形態を説明するための防振装置の断面図である。
【図２】本発明の実施の形態を説明するための防振装置の分解斜視図である。
【図３】本発明の実施の形態を説明するための防振装置の液中組立工程を表した断面図である。
【図４】本発明の実施の形態を説明するための防振装置の液体注入工程を表した断面図である。
【符号の説明】
【００４４】
１０  防振装置
１１  外筒
１２  内筒
１３  弾性体
１４  主液室
１５  副液室
１６  仕切り部材
１７  液室
１９  ダイヤフラム
２１ａ  シール部
２４  制限通路
３０  本体ゴム
４０  ノズル
Ｌ  封入液
Ｌ１  第一液体
Ｌ２  第二液体
【図１】
2010106921.tif 000003
【図２】
2010106921.tif 000004
【図３】
2010106921.tif 000005
【図４】
2010106921.tif 000006